(57)【要約】【課題】フライバックトランス本体の底面を中心に馬蹄型で入出力の端子ピンが備わっており、外装ケ−スの開口淵の全体がプリント基板に接していた為、フライバックトランス本体とプリント基板の間にはテレビジョン受像機あるいはディスプレイモニタ−装置に使用されるフライバックトランス本体以外のコイルやコンデンサや抵抗等の部品を配置することができず、プリント基板上での占有面積が広くなる要因となっていた。【解決手段】外装ケ−ス開口部外側より複数のリブを外装ケ−スと一体成型すること、及びそのリブの周囲にフライバックトランスの入出力端子ピンを配備することにより、フライバックトランス本体とプリント基板の空間にテレビジョン受像機あるいはディスプレイモニタ−装置に使用されるフライバックトランス本体以外のコイルやコンデンサや抵抗等の部品を配置可能となる空間を設けることである。【選択図】図１
2006041324.tif 000002
【特許請求の範囲】
【請求項１】
テレビジョン受像機あるいはディスプレイモニタ−装置のＣＲＴに高圧電圧を供給するフライバックトランスにおいて、中心に磁心と一次コイルと二次コイルとからなる高圧発生トランスを収納する外装ケ−スの開口部より外側に複数個のリブを一体成型し、フライバックトランスの下部にテレビジョン受像機あるいはディスプレイモニタ−装置に使用されるフライバックトランス以外のコイルや抵抗等の部品を配置する空間を設けるようにしてなるフライバックトランス。
【請求項２】
請求項１の外装ケ−スの開口部より外側に複数個のリブの側面部に一次コイルのコイル巻始めと巻終りを巻き付けられている高電圧発生トランスの入力及び低電圧発生の出力に用いられる入出力端子台が複数個、一体成型してなるフライバックトランス。
【請求項３】
テレビジョン受像機あるいはディスプレイモニタ−装置のＣＲＴに高圧電圧を供給するフライバックトランスにおいて、中心に磁心と一次コイルと二次コイルとからなる高圧発生トランスを収納する外装ケ−スの開口面より、一次コイルボビンのＵ字型隔壁が外装ケ−ス開口面より突出し、フライバックトランスの下部にテレビジョン受像機あるいはディスプレイモニタ−装置に使用されるフライバックトランス以外のコイルや抵抗等の部品を配置する空間を設けるようにしてなるフライバックトランス。
【請求項４】
テレビジョン受像機あるいはディスプレイモニタ−装置のＣＲＴに高圧電圧を供給するフライバックトランスにおいて、中心に磁心と一次コイルと二次コイルとからなる高圧発生トランスを収納する外装ケ−スの開口面より、一次コイルボビンのＵ字型隔壁の外側側面から一体成型された複数個のリブが突出し、フライバックトランスの下部にテレビジョン受像機あるいはディスプレイモニタ−装置に使用されるフライバックトランス以外のコイルや抵抗等の部品を配置する空間を設けるようにしてなるフライバックトランス。
【請求項５】
請求項４の複数個のリブの側面に一次コイルボビンのコイル巻始めと巻終りを巻き付けられている高電圧発生トランスの入力及び低電圧発生の出力に用いられる入出力端子台が複数個、一体成型してなるフライバックトランス。
【発明の詳細な説明】
【技術分野】
【０００１】
本発明は、テレビジョン受像機、ディスプレイモニタ−装置等に用いられるフライバックトランスにおいて、プリント基板を小型化設計可能なフライバックトランス装置に関するものである。
【背景技術】
【０００２】
図５は従来のフライバックトランスの側面図と底面図を表し、説明の便宜上フライバックトランス以外は破線で表している（例えば、特許文献１、特許文献２参照）。
【０００３】
中心に磁心２１と一次コイルと二次コイルとからなる高圧発生トランスを収納する外装ケ−ス２２の開口部２２ａより一次コイルのコイル巻始めと巻終りを巻き付けられている高電圧発生トランスの入力及び低電圧発生の出力に用いられる複数個の入出力の端子ピン２３がフライバックトランス本体２４の底面の中心に馬蹄型に配置され垂直下部に突出し、馬蹄型に開けられた穴を形成するプリント基板２５に挿入され、プリント基板２５とフライバックトランス本体２４が電気的及び機械的に接続されている。従って外装ケ−ス開口淵２２ｂがプリント基板２５上に接している為、フライバックトンス本体２４の底面部が直接、プリント基板２５上の面積を占有し、テレビジョン受像機あるいはディスプレイモニタ−装置に使用されるフライバックトランス本体２４以外のコイルやコンデンサや抵抗等の部品５は、フライバックトランス本体２４の周囲に配置されている。
【０００４】
フライバックトランスは二十数ｋＶから三十数ｋＶの高電圧を発生させる安全重要部品である為、安全対策の一環として、フライバックトランス本体２４の周囲から例えば１０ｍｍの範囲２６は、テレビジョン受像機あるいはディスプレイモニタ−装置に使用されるフライバックトランス本体２４以外のコイルやコンデンサや抵抗等の部品５を配置させない設計になっている場合がある。
【特許文献１】特開昭６１−１８５９０７号公報
【特許文献２】特開平１０−２１４７３９号公報
【発明の開示】
【発明が解決しようとする課題】
【０００５】
従来のフライバックトランスでは，フライバックトランス本体の底面において磁心の中心をセンタ−として高電圧発生トランスの入力及び低電圧発生の出力に用いられる入出力の端子ピンが馬蹄型に配置されて複数個備わっており、垂直下部に突出し、馬蹄型に開けられた穴を形成するプリント基板に挿入され、プリント基板とフライバックトランス本体が電気的及び機械的に接続されているので、外装ケ−スの開口淵がプリント基板に接している為、フライバックトランス本体とプリント基板の間には、テレビジョン受像機あるいはディスプレイモニタ−装置に使用されるフライバックトランス本体以外のコイルやコンデンサや抵抗等の部品を配置することができず、フライバックトランスはプリント基板上での占有面積が広くなる要因となっている。
【０００６】
また安全対策の為にフライバックトランス本体の周囲から、例えば１０ｍｍの範囲はテレビジョン受像機あるいはディスプレイモニタ−装置に使用されるフライバックトランス本体以外のコイルやコンデンサや抵抗等の部品を配置させない設計になっている場合があり、更にプリント基板上での占有面積が広くなる要因となっている。
【０００７】
さらに１次コイルボビンのコイル巻始めと巻終りを巻き付けられている高電圧発生トランスの入力及び低電圧発生の出力に用いられる入出力端子台は、外装ケ−ス開口面よりフライバックトランス本体の中に収められるように外装ケ−スの開口部を広げている為、更にプリント基板上での占有面積が広くなる要因となっている。
【課題を解決するための手段】
【０００８】
上記課題を解決するために、本発明のフライバックトランスは、外装ケ−ス開口部外側より複数のリブを外装ケ−スと一体成型することにより、フライバックトランス本体とプリント基板の間に空間を設ける事ができるので、その空間にテレビジョン受像機あるいはディスプレイモニタ−装置に使用されるフライバックトランス本体以外のコイルやコンデンサや抵抗等の部品を配置可能となる空間距離を設けることである。さらにそのリブの周囲にフライバックトランスの一次コイルボビンのコイル巻始めと巻終りを巻き付けられている高電圧発生トランスの入力及び低電圧発生の出力に用いられる入出力端子台を複数個一体成型し、入出力端子ピンを垂直下部に突出し配備することにより、前記フライバックトランスの入出力端子ピンに添って開けられた穴を形成するプリント基板に挿入され、プリント基板とフライバックトランス本体が電気的及び機械的に接続できる。
【０００９】
または、外装ケ−スの開口面より、一次コイルボビンのＵ字型隔壁の底面部を突出することにより、フライバックトランス本体とプリント基板の間に空間を設ける事により、その空間にテレビジョン受像機あるいはディスプレイモニタ−装置のプリント基板に配置されている部品を配置可能とする。
【００１０】
または、外装ケ−スの開口面より、一次コイルボビンのＵ字型隔壁の外側側面から一体成型された複数個のリブが突出することにより、フライバックトランス本体とプリント基板の間に空間を設ける事により、その空間にテレビジョン受像機あるいはディスプレイモニタ−装置のプリント基板に配置されている部品を配置可能とする。さらに前記リブの側面に一次コイルボビンのコイル巻始めと巻終りを巻き付けられている高電圧発生トランスの入力及び低電圧発生の出力に用いられる入出力端子台が複数個、一体成型し、入出力端子ピンを垂直下部に突出し配備することにより、フライバックトランス本体とプリント基板の空間にテレビジョン受像機あるいはディスプレイモニタ−装置に使用されるフライバックトランス本体以外のコイルやコンデンサや抵抗等の部品を配置可能となる空間距離を設けることである。前記フライバックトランスの入出力端子ピンに添って開けられた穴を形成するプリント基板に挿入され、プリント基板とフライバックトランス本体が電気的及び機械的に接続できる。
【発明の効果】
【００１１】
本発明のフライバックトランスによると、フライバックトランス本体とプリント基板の空間にはテレビジョン受像機あるいはディスプレイモニタ−装置に使用されるフライバックトランス本体以外の部品を配置することができ、例えば直径１２ｍｍのフェライトコアを使用するフライバックトランスの場合、底面積が従来の約１／７以下になり、直径１７ｍｍのフェライトコアを使用するフライバックトランスの場合、底面積が従来の約１／１３以下になり、フライバックトランスはプリント基板上での占有面積が小さくする利点があり、テレビジョン受像機あるいはディスプレイモニタ−装置に使用されるプリント基板を小型化設計可能となる。
【発明を実施するための最良の形態】
【００１２】
本発明は、フライバックトランス本体とプリント基板の空間にテレビジョン受像機あるいはディスプレイモニタ−装置に使用されるフライバックトランス本体以外のコイルやコンデンサや抵抗等の部品を配置可能となる空間距離を設けることにより、フライバックトランスはプリント基板上での占有面積が小さくすることが実現できた。
【００１３】
（実施の形態１）
以下、本発明の実施の形態１について図１を参照しながら説明する。図１はフライバックトランスの側面図と底面図を表し、説明の便宜上フライバックトランス以外は破線で表している。
【００１４】
中心に磁心と一次コイルと二次コイルとからなる高圧発生トランスを収納するフライバックトランス本体１の外装ケ−ス２開口部２ａの外側周囲よりリブ３を３個、外装ケ−ス２と一体成型する。このリブ３の先端面３ａは、外装ケ−ス開口部２ａと平行であり、各リブの長さは全て同一であり、磁心の中心をセンタ−として、それぞれが９０°〜１５０°の角度をもって配置させることによって、容易にプリント基板４上で安定を保つことが可能である。またリブ３の先端面３ａから外装ケ−ス開口部２ａまでの距離は、テレビジョン受像機あるいはディスプレイモニタ−装置に使用されるフライバックトランス本体１以外のコイルやコンデンサや抵抗等の部品５を配置可能となる距離を確保する。これによって生じるフライバックトランス本体１の底面とプリント基板４面との空間に前記コイルやコンデンサや抵抗等の部品５を配置できる。
【００１５】
（実施の形態２）
以下、本発明の実施の形態２について図２を参照しながら説明する。図２はフライバックトランスの側面図と底面図を表し、説明の便宜上フライバックトランス以外は破線で表している。
【００１６】
中心に磁心と一次コイルと二次コイルとからなる高圧発生トランスを収納するフライバックトランス本体１の外装ケ−ス２開口部２ａの外側周囲よりＬ字型に伸びる円筒状のリブ３を３個、外装ケ−ス２と一体成型する。このＬ字型に伸びる円筒状のリブ３の先端面３ａは、外装ケ−ス開口部２ａと平行であり、各リブの長さは全て同一であり、磁心の中心をセンタ−として、それぞれが９０°〜１５０°の角度をもって配置させることによって、容易にプリント基板４上で安定を保つことが可能である。またＬ字型に伸びる円筒状のリブ３の先端面３ａから外装ケ−ス開口部２ａまでの距離は、テレビジョン受像機あるいはディスプレイモニタ−装置に使用されるフライバックトランス本体１以外のコイルやコンデンサや抵抗等の部品５を配置可能となる距離を確保する。これによって生じるフライバックトランス本体１の底面とプリント基板４面との空間に前記コイルやコンデンサや抵抗等の部品５を配置できる。
【００１７】
Ｌ字型に伸びる円筒状のリブ３の側面に一次コイルのコイル巻始めと巻終りを巻き付けられている高電圧発生トランスの入力及び低電圧発生の出力に用いられるフライバックトランスの入出力端子台６を複数個一体成型し、前記入出力端子台６の下面６ａはＬ字型に伸びる円筒状のリブの先端面３ａのより凹み、入出力端子ピン７を埋設する穴が開いている。入出力端子ピン７は下側垂直方向、及びＬ字型に伸びる円筒状のリブの先端面３ａより突出するように前記入出力端子台の穴に埋設されている。
【００１８】
一次コイル端末は外装ケ−ス開口部２ａより、Ｌ字型に伸びる円筒状のリブ３の上面及び側面にある突起３ｂに引っ掛け、入出力端子ピン７に巻きつける。入出力端子ピン７と一次コイルを電気的に接続する為に半田付けをする。
【００１９】
突出している入出力端子ピン７とプリント基板４を半田付けすることにより電気的、機械的に接続させる。これによりＬ字型に伸びる円筒状のリブ３が、フライバックトランス本体１を底上げさせた為、フライバックトランス本体１とテレビジョン受像機あるいはディスプレイモニタ−装置に使用されるプリント基板４の間に空間距離を保ち、テレビジョン受像機あるいはディスプレイモニタ−装置に使用されるコイルやコンデンサや抵抗等の部品５を配置可能となる空間を要する。その空間に前記コイルやコンデンサや抵抗等の部品５を配置できる。
【００２０】
（実施の形態３）
以下、本発明の実施の形態３について図３を参照しながら説明する。図３はフライバックトランスの側面図と底面図を表し、説明の便宜上フライバックトランス以外は破線で表している。
【００２１】
中心に磁心と一次コイルと二次コイルとからなる高圧発生トランスを収納するフライバックトランス本体８の外装ケ−ス９開口部９ａより、一次コイルボビンと一体成型されたＵ字型隔壁１０の底面１０ａが、外装ケ−ス９開口部９ａより下部へ突出している。Ｕ字型隔壁１０の底面１０ａから外装ケ−ス９開口部９ａまでの距離は、テレビジョン受像機あるいはディスプレイモニタ−装置に使用されるフライバックトランス本体８以外のコイルやコンデンサや抵抗等の部品５を配置可能となる空間を確保する。
【００２２】
さらに、一次コイルのコイル巻始めと巻終りを巻き付けられている高電圧発生トランスの入力及び低電圧発生の出力に用いられるフライバックトランスの入出力端子ピン１１は、外装ケ−ス９開口部９ａからＵ字型隔壁１０の底面１０ａを越えて垂直下面方向に突出している。突出している入出力端子ピン１１とプリント基板１２を半田付けすることにより電気的、機械的に接続させる。これによりＵ字型隔壁１０の底面１０ａが、フライバックトランス本体８を底上げさせることにより、フライバックトランス本体８とテレビジョン受像機あるいはディスプレイモニタ−装置に使用されるプリント基板１１の間に距離を保ち、テレビジョン受像機あるいはディスプレイモニタ−装置に使用されるコイルやコンデンサや抵抗等の部品５を配置可能となる空間を確保する。その空間に前記コイルやコンデンサや抵抗等の部品５を配置できる。
【００２３】
（実施形態４）
以下、本発明の実施の形態４について図４を参照しながら説明する。図４はフライバックトランスの側面図と底面図を表し、説明の便宜上フライバックトランス以外は破線で表している。
【００２４】
中心に磁心と一次コイルと二次コイルとからなる高圧発生トランスを収納するフライバックトランス本体１３の外装ケ−ス１４開口部１４ａより、一次コイルボビンと一体成型されたＵ字型隔壁１５の外側側面から円筒型のリブ１６が３個一体成型され、外装ケ−ス１４開口部１４ａより下部へ突出している。前記円筒型のリブ１６の先端面１６ａは外装ケ−ス開口部１４ａと平行であり、各リブの長さは全て同一であり、磁心の中心をセンタ−として、それぞれが９０°〜１５０°の角度をもって配置させることによって、容易にプリント基板１７上で安定を保つことが可能である。
【００２５】
また円筒型のリブ１６の先端面１６ａから外装ケ−ス開口部１４ａまでの距離は、テレビジョン受像機あるいはディスプレイモニタ−装置に使用されるフライバックトランス本体１３以外のコイルやコンデンサや抵抗等の部品５を配置可能となる空間を確保する。
【００２６】
円筒型のリブ１６の側面１６ｂには、一次コイルのコイル巻始めと巻終りを巻き付けられている高電圧発生トランスの入力及び低電圧発生の出力に用いられるフライバックトランスの入出力端子ピン１８を埋設する為の入出力端子台１９が、円筒型のリブ１６ひとつにつき４個がＬ字型に一体成型されている。この入出力端子台１９は、入出力端子ピン１８同士の絶縁距離を確保する為に、円筒型のリブ１６の中心をセンタ−としてそれぞれが９０°の角度をもっている。またＬ字型の入力端子台１９の先端部１９ａには入出力端子ピン１８を埋設する為の穴が開いており、入出力端子ピン１８はＬ字型のリブの先端１９ａより突出するように埋設している。一次コイルの端末２０は、入出力端子台１９側の入出力端子ピン１８に巻きつけられ、この端末と半田付けをすることにより、電気的接続をしている。
【００２７】
突出している入出力端子ピン１８とプリント基板１７を半田付けすることにより電気的、機械的に接続させる。これにより円筒型のリブ１６が、フライバックトランス本体１３を底上げさせることにより、フライバックトランス本体８とテレビジョン受像機あるいはディスプレイモニタ−装置に使用されるプリント基板１７の間に距離を保ち、テレビジョン受像機あるいはディスプレイモニタ−装置に使用されるコイルやコンデンサや抵抗等の部品５を配置可能となる空間を確保する。その空間に前記コイルやコンデンサや抵抗等の部品５を配置できる。
【産業上の利用可能性】
【００２８】
本発明のフライバックトランスは、テレビジョン受像機、ディスプレイモニタ−装置等に用いられるフライバックトランス装置等として有用である。
【図面の簡単な説明】
【００２９】
【図１】本発明のフライバックトランスＡ１を示す図
【図２】本発明のフライバックトランスＡ２を示す図
【図３】本発明のフライバックトランスＢを示す図
【図４】本発明のフライバックトランスＣを示す図
【図５】従来のフライバックトランスを示す図
【符号の説明】
【００３０】
１    フライバックトランス本体Ａ
２    外装ケ−スＡ
２ａ    外装ケ−スＡの開口部
３    リブ
３ａ    リブの先端面
３ｂ    リブの上面及び側面にある突起
４    プリント基板Ａ
５    コイルやコンデンサや抵抗等の部品
６    入出力の端子台
６ａ    入出力の端子台の下面
７    入出力の端子ピン
８    フライバックトランス本体Ｂ
９    外装ケ−スＢ
９ａ    外装ケ−スＢの開口部
１０    Ｕ字型隔壁
１１    プリント基板Ｂ
１２    入出力の端子ピン
１３    フライバックトランス本体Ｃ
１４    外装ケ−スＣ
１４ａ    外装ケ−スＣの開口部
１５    Ｕ字型隔壁
１６    円筒型のリブ
１６ａ    円筒型のリブの先端面
１７    プリント基板Ｃ
１８    入出力の端子ピン
１９    入出力の端子台
１９ａ    入出力の端子台の先端部
２０    一次コイルの端末
２１    磁心
２２    外装ケ−スＤ
２２ａ    外装ケ−スＤの開口部
２２ｂ    外装ケ−スＤの開口淵
２３    入出力の端子ピン
２４    フライバックトランス本体Ｄ
２５    プリント基板Ｄ
２６    フライバックトランス周囲から１０ｍｍの範囲
【図１】
2006041324.tif 000003
【図２】
2006041324.tif 000004
【図３】
2006041324.tif 000005
【図４】
2006041324.tif 000006
【図５】
2006041324.tif 000007